(57)【要約】【課題】複数の無線基地局装置を備える通信システムにおいて、より優れたサービスを提供する。【解決手段】無線端末装置は、ユーザの指示を受けると、無線基地局装置と無線通信を行なう無線通信部が通信相手として選択中の無線基地局装置から、特定の無線基地局装置へ前記無線通信部の通信相手を切り替える切り替え動作を行なう切り替え制御部を備える。前記特定の無線基地局装置は、前記切り替え動作を行なう前に前記無線通信部が通信相手として選択していた前記無線基地局装置よりもセル半径が小さく、前記特定の無線基地局装置は、無線端末装置と他の装置との間で送受信される通信データを中継し、移動通信事業者網を経由して前記通信データを中継する第１の中継動作に加えて、または前記第１の中継動作の代わりに、他のネットワークを経由して前記通信データを中継する第２の中継動作を行なうことが可能である。【選択図】図１
2015032986.tif 000002
【特許請求の範囲】
【請求項１】
無線基地局装置と無線通信を行なう無線通信部と、
ユーザの指示を受けると、前記無線通信部を制御して、前記無線通信部が通信相手として選択中の無線基地局装置から特定の無線基地局装置へ前記無線通信部の通信相手を切り替える切り替え動作を行なう切り替え制御部とを備え、
前記特定の無線基地局装置は、前記切り替え動作を行なう前に前記無線通信部が通信相手として選択していた前記無線基地局装置よりもセル半径が小さく、
前記特定の無線基地局装置は、無線端末装置と他の装置との間で送受信される通信データを中継し、移動通信事業者網を経由して前記通信データを中継する第１の中継動作に加えて、または前記第１の中継動作の代わりに、他のネットワークを経由して前記通信データを中継する第２の中継動作を行なうことが可能である、無線端末装置。
【請求項２】
前記無線端末装置には、１または複数のアプリケーションがインストールされており、
前記切り替え制御部は、前記切り替え動作を行なうための所定の前記アプリケーションが起動されると前記切り替え動作を開始する、請求項１に記載の無線端末装置。
【請求項３】
前記無線端末装置は、さらに、
前記無線端末装置の画面にアイコンを表示する制御を行なう表示制御部を備え、
前記切り替え制御部は、前記アイコンに対してユーザが操作を行なうと、前記切り替え動作を開始する、請求項１または請求項２に記載の無線端末装置。
【請求項４】
前記無線端末装置には、１または複数のアプリケーションがインストールされており、
前記切り替え制御部は、前記切り替え動作を行なうための所定の前記アプリケーションが起動されると前記切り替え動作を開始し、
前記無線端末装置は、さらに、
前記無線端末装置の画面にアイコンを表示する制御を行なう表示制御部を備え、
前記アイコンに対してユーザが操作を行なうと、前記所定のアプリケーションが単独で起動される、請求項２または請求項３に記載の無線端末装置。
【請求項５】
前記無線端末装置には、１または複数のアプリケーションがインストールされており、
前記切り替え制御部は、前記切り替え動作を行なうための所定の前記アプリケーションが起動されると前記切り替え動作を開始し、
前記無線端末装置は、さらに、
前記無線端末装置の画面にアイコンを表示する制御を行なう表示制御部を備え、
前記アイコンに対してユーザが操作を行なうと、前記所定のアプリケーションおよび他の前記アプリケーションが起動される、請求項２または請求項３に記載の無線端末装置。
【請求項６】
前記無線端末装置には、１または複数のアプリケーションがインストールされており、
前記切り替え制御部は、前記切り替え動作を行なうための所定の前記アプリケーションが起動されると前記切り替え動作を開始し、
前記切り替え制御部は、前記所定のアプリケーションが終了されると、前記無線通信部が通信相手として選択中の前記特定の無線基地局装置から他の無線基地局装置へ前記無線通信部の通信相手を切り替える切り戻し動作を行なう、請求項２から請求項５のいずれか１項に記載の無線端末装置。
【請求項７】
第１の無線通信方式を用いて、無線端末装置と無線通信を行なうことが可能な第１無線通信部と、
第２の無線通信方式を用いて、前記無線端末装置と無線通信を行なうことが可能な第２無線通信部と、
前記第１無線通信部または前記第２無線通信部が前記無線端末装置から受信した通信データをネットワークへ送信し、前記ネットワークから受信した前記無線端末装置宛の通信データを前記第１無線通信部または前記第２無線通信部へ出力する通信データの中継を行い、前記ネットワークとして移動通信事業者網を経由して前記通信データを中継する第１の中継動作に加えて、または前記第１の中継動作の代わりに、他のネットワークを経由して前記通信データを中継する第２の中継動作を行なうことが可能なネットワーク通信部と、
前記無線端末装置が前記第２無線通信部を通信相手として通信している状態において、前記無線端末装置の通信相手を前記第１無線通信部へ変更する切り替え動作を促すための切り替え促進情報を前記無線端末装置のユーザに提示する制御を行なう切り替え促進部とを備える、無線基地局装置。
【請求項８】
前記無線端末装置は、自己にインストールされている前記切り替え動作を行なうための所定のアプリケーションが起動されると前記切り替え動作を開始し、
前記切り替え促進部は、前記切り替え促進情報として、前記所定のアプリケーションのダウンロード元の情報、および前記所定のアプリケーションの起動を促す情報の少なくともいずれか一方を提示する制御を行なう、請求項７に記載の無線基地局装置。
【請求項９】
前記第１の無線通信方式は、携帯電話の通信方式であり、
前記ネットワーク通信部は、前記第２の中継動作において、前記第１無線通信部が前記無線端末装置から受信した通信データであるＩＰパケットを前記他のネットワークへ送信する、請求項７または請求項８に記載の無線基地局装置。
【請求項１０】
無線端末装置と、
複数の無線基地局装置とを備え、
前記無線端末装置は、ユーザの指示を受けると、通信相手として選択中の前記無線基地局装置から特定の無線基地局装置へ通信相手を切り替え、
前記特定の無線基地局装置は、前記無線端末装置と移動通信事業者網における装置との間で送受信される前記無線端末装置を登録するための情報を中継し、
前記特定の無線基地局装置は、前記切り替え動作を行なう前に前記無線端末装置が通信相手として選択していた前記無線基地局装置よりもセル半径が小さく、
前記特定の無線基地局装置は、前記無線端末装置と他の装置との間で送受信される通信データを中継し、前記移動通信事業者網を経由して前記通信データを中継する第１の中継動作に加えて、または前記第１の中継動作の代わりに、他のネットワークを経由して前記通信データを中継する第２の中継動作を行なうことが可能である、通信システム。
【請求項１１】
無線端末装置と、複数の無線基地局装置とを備える通信システムにおける無線アクセス提供方法であって、
前記無線端末装置が、ユーザの指示を受けると、通信相手として選択中の前記無線基地局装置から特定の無線基地局装置へ通信相手を切り替えるステップと、
前記特定の無線基地局装置が、前記無線端末装置と移動通信事業者網における装置との間で送受信される前記無線端末装置を登録するための情報を中継するステップとを含み、
前記特定の無線基地局装置は、前記切り替え動作を行なう前に前記無線端末装置が通信相手として選択していた前記無線基地局装置よりもセル半径が小さく、
前記特定の無線基地局装置は、前記無線端末装置と他の装置との間で送受信される通信データを中継し、前記移動通信事業者網を経由して前記通信データを中継する第１の中継動作に加えて、または前記第１の中継動作の代わりに、他のネットワークを経由して前記通信データを中継する第２の中継動作を行なうことが可能である、無線アクセス提供方法。
【請求項１２】
無線端末装置において用いられる通信制御プログラムであって、
コンピュータに、
通信相手として選択した無線基地局装置と無線通信を行なうステップと、
ユーザの指示を受けると、通信相手として選択中の前記無線基地局装置から特定の無線基地局装置へ通信相手を切り替える切り替え動作を行なうステップとを実行させるためのプログラムであり、
前記特定の無線基地局装置は、前記切り替え動作を行なう前に前記無線端末装置が通信相手として選択していた前記無線基地局装置よりもセル半径が小さく、
前記特定の無線基地局装置は、前記無線端末装置と他の装置との間で送受信される通信データを中継し、移動通信事業者網を経由して前記通信データを中継する第１の中継動作に加えて、または前記第１の中継動作の代わりに、他のネットワークを経由して前記通信データを中継する第２の中継動作を行なうことが可能である、通信制御プログラム。
【請求項１３】
第１の無線通信方式および第２の無線通信方式を用いて無線端末装置と無線通信を行なうことが可能な無線基地局装置において用いられる通信制御プログラムであって、
コンピュータに、
前記第２の無線通信方式を用いて、前記無線端末装置から受信した通信データをネットワークへ送信し、前記ネットワークから受信した前記無線端末装置宛の通信データを前記無線端末装置へ送信する通信データの中継を行なうステップと、
前記無線端末装置の用いる無線通信方式を前記第１の無線通信方式へ変更する切り替え動作を促すための切り替え促進情報を前記無線端末装置のユーザに提示する制御を行なうステップとを実行させるためのプログラムであり、
前記無線基地局装置は、前記ネットワークとして移動通信事業者網を経由して前記通信データを中継する第１の中継動作に加えて、または前記第１の中継動作の代わりに、他のネットワークを経由して前記通信データを中継する第２の中継動作を行なうことが可能である、通信制御プログラム。
【発明の詳細な説明】
【技術分野】
【０００１】
本発明は、無線端末装置、無線基地局装置、通信システム、無線アクセス提供方法および通信制御プログラムに関し、特に、無線端末装置が通信相手の無線基地局装置を選択可能な通信システムにおける無線端末装置、無線基地局装置、通信システム、無線アクセス提供方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
移動通信サービスの加入者数の劇的な増加およびデータ通信による通信トラヒック量の増大に対して、マクロ基地局の設置数を増大させる方法では、電波干渉および電波利用効率等の点から限界があり、近年、移動通信事業者において、店舗、一般家庭および企業等の小エリアに多数の無線ＬＡＮアクセスポイントを無線基地局装置として設置する方法が採用されている（たとえば、非特許文献１（"nikkei Bpnet"、［online］、［平成25年7月22日検索］、インターネット〈URL：http://www.nikkeibp.co.jp/article/column/20120612/312165/?rt=nocnt〉）参照）。
【０００４】
しかしながら、アクセスポイントを利用するユーザおよびデータ通信量の増加、ならびにアクセスポイント間の干渉等に伴い、無線端末装置がアクセスポイントに接続できなくなる場合、または接続できても通信速度が大幅に低下する場合が増加している。
【０００５】
このような問題を解決するために、アクセスポイントと比べて回線接続率および通信品質が保証されている移動通信用の無線基地局装置であり、マクロ基地局よりもセル半径の小さい小型基地局を小エリアに設置することが検討されている。これにより、加入者および通信トラヒックを分散し、また、一定レベルの回線接続率および通信品質をユーザへ提供することができる。
【先行技術文献】
【非特許文献】
【０００６】
【非特許文献１】"nikkei Bpnet"、［online］、［平成25年7月22日検索］、インターネット〈URL：http://www.nikkeibp.co.jp/article/column/20120612/312165/?rt=nocnt〉
【発明の概要】
【発明が解決しようとする課題】
【０００７】
このような複数の無線基地局装置を備える通信システムにおいて、より優れたサービスを提供することが望まれる。
【０００８】
この発明は、上述の課題を解決するためになされたもので、その目的は、複数の無線基地局装置を備える通信システムにおいて、より優れたサービスを提供することが可能な無線端末装置、無線基地局装置、通信システム、無線アクセス提供方法および通信制御プログラムを提供することである。
【課題を解決するための手段】
【０００９】
（１）上記課題を解決するために、この発明のある局面に係わる無線端末装置は、無線基地局装置と無線通信を行なう無線通信部と、ユーザの指示を受けると、前記無線通信部を制御して、前記無線通信部が通信相手として選択中の無線基地局装置から特定の無線基地局装置へ前記無線通信部の通信相手を切り替える切り替え動作を行なう切り替え制御部とを備え、前記特定の無線基地局装置は、前記切り替え動作を行なう前に前記無線通信部が通信相手として選択していた前記無線基地局装置よりもセル半径が小さく、前記特定の無線基地局装置は、無線端末装置と他の装置との間で送受信される通信データを中継し、移動通信事業者網を経由して前記通信データを中継する第１の中継動作に加えて、または前記第１の中継動作の代わりに、他のネットワークを経由して前記通信データを中継する第２の中継動作を行なうことが可能である。
【００１０】
（７）上記課題を解決するために、この発明のある局面に係わる無線基地局装置は、第１の無線通信方式を用いて、無線端末装置と無線通信を行なうことが可能な第１無線通信部と、第２の無線通信方式を用いて、前記無線端末装置と無線通信を行なうことが可能な第２無線通信部と、前記第１無線通信部または前記第２無線通信部が前記無線端末装置から受信した通信データをネットワークへ送信し、前記ネットワークから受信した前記無線端末装置宛の通信データを前記第１無線通信部または前記第２無線通信部へ出力する通信データの中継を行い、前記ネットワークとして移動通信事業者網を経由して前記通信データを中継する第１の中継動作に加えて、または前記第１の中継動作の代わりに、他のネットワークを経由して前記通信データを中継する第２の中継動作を行なうことが可能なネットワーク通信部と、前記無線端末装置が前記第２無線通信部を通信相手として通信している状態において、前記無線端末装置の通信相手を前記第１無線通信部へ変更する切り替え動作を促すための切り替え促進情報を前記無線端末装置のユーザに提示する制御を行なう切り替え促進部とを備える。
【００１１】
（１０）上記課題を解決するために、この発明のある局面に係わる通信システムは、無線端末装置と、複数の無線基地局装置とを備え、前記無線端末装置は、ユーザの指示を受けると、通信相手として選択中の前記無線基地局装置から特定の無線基地局装置へ通信相手を切り替え、前記特定の無線基地局装置は、前記無線端末装置と移動通信事業者網における装置との間で送受信される前記無線端末装置を登録するための情報を中継し、前記特定の無線基地局装置は、前記切り替え動作を行なう前に前記無線端末装置が通信相手として選択していた前記無線基地局装置よりもセル半径が小さく、前記特定の無線基地局装置は、前記無線端末装置と他の装置との間で送受信される通信データを中継し、前記移動通信事業者網を経由して前記通信データを中継する第１の中継動作に加えて、または前記第１の中継動作の代わりに、他のネットワークを経由して前記通信データを中継する第２の中継動作を行なうことが可能である。
【００１２】
（１１）上記課題を解決するために、この発明のある局面に係わる無線アクセス提供方法は、無線端末装置と、複数の無線基地局装置とを備える通信システムにおける無線アクセス提供方法であって、前記無線端末装置が、ユーザの指示を受けると、通信相手として選択中の前記無線基地局装置から特定の無線基地局装置へ通信相手を切り替えるステップと、前記特定の無線基地局装置が、前記無線端末装置と移動通信事業者網における装置との間で送受信される前記無線端末装置を登録するための情報を中継するステップとを含み、前記特定の無線基地局装置は、前記切り替え動作を行なう前に前記無線端末装置が通信相手として選択していた前記無線基地局装置よりもセル半径が小さく、前記特定の無線基地局装置は、前記無線端末装置と他の装置との間で送受信される通信データを中継し、前記移動通信事業者網を経由して前記通信データを中継する第１の中継動作に加えて、または前記第１の中継動作の代わりに、他のネットワークを経由して前記通信データを中継する第２の中継動作を行なうことが可能である。
【００１３】
（１２）上記課題を解決するために、この発明のある局面に係わる通信制御プログラムは、無線端末装置において用いられる通信制御プログラムであって、コンピュータに、通信相手として選択した無線基地局装置と無線通信を行なうステップと、ユーザの指示を受けると、通信相手として選択中の前記無線基地局装置から特定の無線基地局装置へ通信相手を切り替える切り替え動作を行なうステップとを実行させるためのプログラムであり、前記特定の無線基地局装置は、前記切り替え動作を行なう前に前記無線端末装置が通信相手として選択していた前記無線基地局装置よりもセル半径が小さく、前記特定の無線基地局装置は、前記無線端末装置と他の装置との間で送受信される通信データを中継し、移動通信事業者網を経由して前記通信データを中継する第１の中継動作に加えて、または前記第１の中継動作の代わりに、他のネットワークを経由して前記通信データを中継する第２の中継動作を行なうことが可能である。
【００１４】
（１３）上記課題を解決するために、この発明のある局面に係わる通信制御プログラムは、第１の無線通信方式および第２の無線通信方式を用いて無線端末装置と無線通信を行なうことが可能な無線基地局装置において用いられる通信制御プログラムであって、コンピュータに、前記第２の無線通信方式を用いて、前記無線端末装置から受信した通信データをネットワークへ送信し、前記ネットワークから受信した前記無線端末装置宛の通信データを前記無線端末装置へ送信する通信データの中継を行なうステップと、前記無線端末装置の用いる無線通信方式を前記第１の無線通信方式へ変更する切り替え動作を促すための切り替え促進情報を前記無線端末装置のユーザに提示する制御を行なうステップとを実行させるためのプログラムであり、前記無線基地局装置は、前記ネットワークとして移動通信事業者網を経由して前記通信データを中継する第１の中継動作に加えて、または前記第１の中継動作の代わりに、他のネットワークを経由して前記通信データを中継する第２の中継動作を行なうことが可能である。
【００１５】
本発明は、このような特徴的な処理部を備える無線端末装置として実現できるだけでなく、かかる特徴的な処理をステップとする方法として実現することができる。また、無線端末装置の一部または全部を実現する半導体集積回路として実現することができる。
【００１６】
また、本発明は、このような特徴的な処理部を備える無線基地局装置として実現できるだけでなく、かかる特徴的な処理をステップとする方法として実現することができる。また、無線基地局装置の一部または全部を実現する半導体集積回路として実現することができる。
【発明の効果】
【００１７】
本発明によれば、複数の無線基地局装置を備える通信システムにおいて、より優れたサービスを提供することができる。
【図面の簡単な説明】
【００１８】
【図１】図１は、本発明の実施の形態に係る通信システムの構成を示す図である。
【図２】図２は、本発明の実施の形態に係る通信システムにおける通信データの中継経路を示す図である。
【図３】図３は、本発明の実施の形態に係る通信システムにおける無線端末装置の構成を示す図である。
【図４】図４は、本発明の実施の形態に係る通信システムにおける小型基地局の構成を示す図である。
【図５】図５は、本発明の実施の形態に係る通信システムにおける無線アクセス提供処理のシーケンスの一例を示す図である。
【図６】図６は、本発明の実施の形態に係る無線端末装置のアイコン表示画面の一例を示す図である。
【図７】図７は、本発明の実施の形態に係る無線端末装置の設定画面の一例を示す図である。
【図８】図８は、本発明の実施の形態に係る通信システムにおける小型基地局が無線アクセスを提供する際の動作手順を定めたフローチャートである。
【発明を実施するための形態】
【００１９】
最初に、本発明の実施形態の内容を列記して説明する。
【００２０】
（１）本発明の実施形態に係る無線端末装置は、無線基地局装置と無線通信を行なう無線通信部と、ユーザの指示を受けると、前記無線通信部を制御して、前記無線通信部が通信相手として選択中の無線基地局装置から特定の無線基地局装置へ前記無線通信部の通信相手を切り替える切り替え動作を行なう切り替え制御部とを備え、前記特定の無線基地局装置は、前記切り替え動作を行なう前に前記無線通信部が通信相手として選択していた前記無線基地局装置よりもセル半径が小さく、前記特定の無線基地局装置は、無線端末装置と他の装置との間で送受信される通信データを中継し、移動通信事業者網を経由して前記通信データを中継する第１の中継動作に加えて、または前記第１の中継動作の代わりに、他のネットワークを経由して前記通信データを中継する第２の中継動作を行なうことが可能である。
【００２１】
このような構成により、移動通信サービスの加入者数の劇的な増加およびデータ通信による通信トラヒック量の増大に対して、電波干渉の増大および電波利用効率の低下を抑制しながら、加入者および通信トラヒックを分散することができる。また、一定レベルの回線接続率および通信品質をユーザへ提供することができる。また、無線端末装置および無線基地局装置の間で高速通信が可能となることに伴う移動通信事業者網側の通信回線の逼迫を防ぎながら、既存のネットワークを活用することができるため、移動通信事業者網の設備増強等によるコスト増大を抑制することができる。すなわち、無線基地局装置を敷設する移動通信事業者は、無線端末装置および無線基地局装置間の通信提供費用を回収すれば十分となり、無線基地局装置が増加するほど、ユーザ数が増加し、収入増を図ることができる。また、各種事業者およびユーザにとってメリットの大きい通信サービスを提供することが可能となる。したがって、複数の無線基地局装置を備える通信システムにおいて、より優れたサービスを提供することができる。
【００２２】
好ましくは、前記無線端末装置には、１または複数のアプリケーションがインストールされており、前記切り替え制御部は、前記切り替え動作を行なうための所定の前記アプリケーションが起動されると前記切り替え動作を開始する。
【００２３】
このような構成により、専用のアプリケーションを用いて、無線端末装置の切り替え動作を簡易な構成および簡易な処理で実行することができる。
【００２４】
好ましくは、前記無線端末装置は、さらに、前記無線端末装置の画面にアイコンを表示する制御を行なう表示制御部を備え、前記切り替え制御部は、前記アイコンに対してユーザが操作を行なうと、前記切り替え動作を開始する。
【００２５】
このような構成により、ユーザは、複雑な設定操作を行なうことなく、画面のアイコンを操作するだけで、無線端末装置に対して容易に切り替え動作を指示することができる。
【００２６】
より好ましくは、前記無線端末装置には、１または複数のアプリケーションがインストールされており、前記切り替え制御部は、前記切り替え動作を行なうための所定の前記アプリケーションが起動されると前記切り替え動作を開始し、前記無線端末装置は、さらに、前記無線端末装置の画面にアイコンを表示する制御を行なう表示制御部を備え、前記アイコンに対してユーザが操作を行なうと、前記所定のアプリケーションが単独で起動される。
【００２７】
このような構成により、無線端末装置の画面において、切り替え動作を行なうためのアイコンの数が１つでよくなり、画面表示がシンプルになり、ユーザの使用感を向上させることができる。
【００２８】
より好ましくは、前記無線端末装置には、１または複数のアプリケーションがインストールされており、前記切り替え制御部は、前記切り替え動作を行なうための所定の前記アプリケーションが起動されると前記切り替え動作を開始し、前記無線端末装置は、さらに、前記無線端末装置の画面にアイコンを表示する制御を行なう表示制御部を備え、前記アイコンに対してユーザが操作を行なうと、前記所定のアプリケーションおよび他の前記アプリケーションが起動される。
【００２９】
このような構成により、切り替え動作を行なうためだけのアイコンを用いる構成と比べて、所定のアプリケーションの終了すなわち切り戻し動作の実行をユーザが忘れることを防ぐことができる。
【００３０】
より好ましくは、前記無線端末装置には、１または複数のアプリケーションがインストールされており、前記切り替え制御部は、前記切り替え動作を行なうための所定の前記アプリケーションが起動されると前記切り替え動作を開始し、前記切り替え制御部は、前記所定のアプリケーションが終了されると、前記無線通信部が通信相手として選択中の前記特定の無線基地局装置から他の無線基地局装置へ前記無線通信部の通信相手を切り替える切り戻し動作を行なう。
【００３１】
このような構成により、専用のアプリケーションを終了させることで、無線端末装置の切り戻し動作を簡易な構成および簡易な処理で実行することができる。
【００３２】
（７）本発明の実施形態に係る無線基地局装置は、第１の無線通信方式を用いて、無線端末装置と無線通信を行なうことが可能な第１無線通信部と、第２の無線通信方式を用いて、前記無線端末装置と無線通信を行なうことが可能な第２無線通信部と、前記第１無線通信部または前記第２無線通信部が前記無線端末装置から受信した通信データをネットワークへ送信し、前記ネットワークから受信した前記無線端末装置宛の通信データを前記第１無線通信部または前記第２無線通信部へ出力する通信データの中継を行い、前記ネットワークとして移動通信事業者網を経由して前記通信データを中継する第１の中継動作に加えて、または前記第１の中継動作の代わりに、他のネットワークを経由して前記通信データを中継する第２の中継動作を行なうことが可能なネットワーク通信部と、前記無線端末装置が前記第２無線通信部を通信相手として通信している状態において、前記無線端末装置の通信相手を前記第１無線通信部へ変更する切り替え動作を促すための切り替え促進情報を前記無線端末装置のユーザに提示する制御を行なう切り替え促進部とを備える。
【００３３】
このような構成により、移動通信サービスの加入者数の劇的な増加およびデータ通信による通信トラヒック量の増大に対して、電波干渉の増大および電波利用効率の低下を抑制しながら、加入者および通信トラヒックを分散することができる。また、一定レベルの回線接続率および通信品質をユーザへ提供することができる。また、無線端末装置および無線基地局装置の間で高速通信が可能となることに伴う移動通信事業者網側の通信回線の逼迫を防ぎながら、既存のネットワークを活用することができるため、移動通信事業者網の設備増強等によるコスト増大を抑制することができる。すなわち、無線基地局装置を敷設する移動通信事業者は、無線端末装置および無線基地局装置間の通信提供費用を回収すれば十分となり、無線基地局装置が増加するほど、ユーザ数が増加し、収入増を図ることができる。また、各種事業者およびユーザにとってメリットの大きい通信サービスを提供することが可能となる。したがって、複数の無線基地局装置を備える通信システムにおいて、より優れたサービスを提供することができる。また、より広範な通信環境等の状況を認識可能な無線基地局装置において所定の無線通信方式を使用するように無線端末装置を誘導する構成により、より安定かつ良好な通信環境を実現し、より優れたサービスを提供することができる。
【００３４】
好ましくは、前記無線端末装置は、自己にインストールされている前記切り替え動作を行なうための所定のアプリケーションが起動されると前記切り替え動作を開始し、前記切り替え促進部は、前記切り替え促進情報として、前記所定のアプリケーションのダウンロード元の情報、および前記所定のアプリケーションの起動を促す情報の少なくともいずれか一方を提示する制御を行なう。
【００３５】
このような構成により、専用のアプリケーションのダウンロードおよび起動を無線端末装置のユーザに対して効果的に促すことができる。
【００３６】
好ましくは、前記第１の無線通信方式は、携帯電話の通信方式であり、前記ネットワーク通信部は、前記第２の中継動作において、前記第１無線通信部が前記無線端末装置から受信した通信データであるＩＰパケットを前記他のネットワークへ送信する。
【００３７】
このような構成により、無線端末装置および無線基地局装置の間で高速通信が可能となることに伴って逼迫する可能性の高い移動通信事業者網の負荷を、より通信容量の大きい既存のＩＰネットワークへ分散させることができる。
【００３８】
（１０）本発明の実施形態に係る通信システムは、無線端末装置と、複数の無線基地局装置とを備え、前記無線端末装置は、ユーザの指示を受けると、通信相手として選択中の前記無線基地局装置から特定の無線基地局装置へ通信相手を切り替え、前記特定の無線基地局装置は、前記無線端末装置と移動通信事業者網における装置との間で送受信される前記無線端末装置を登録するための情報を中継し、前記特定の無線基地局装置は、前記切り替え動作を行なう前に前記無線端末装置が通信相手として選択していた前記無線基地局装置よりもセル半径が小さく、前記特定の無線基地局装置は、前記無線端末装置と他の装置との間で送受信される通信データを中継し、前記移動通信事業者網を経由して前記通信データを中継する第１の中継動作に加えて、または前記第１の中継動作の代わりに、他のネットワークを経由して前記通信データを中継する第２の中継動作を行なうことが可能である。
【００３９】
このような構成により、移動通信サービスの加入者数の劇的な増加およびデータ通信による通信トラヒック量の増大に対して、電波干渉の増大および電波利用効率の低下を抑制しながら、加入者および通信トラヒックを分散することができる。また、一定レベルの回線接続率および通信品質をユーザへ提供することができる。また、無線端末装置および無線基地局装置の間で高速通信が可能となることに伴う移動通信事業者網側の通信回線の逼迫を防ぎながら、既存のネットワークを活用することができるため、移動通信事業者網の設備増強等によるコスト増大を抑制することができる。すなわち、無線基地局装置を敷設する移動通信事業者は、無線端末装置および無線基地局装置間の通信提供費用を回収すれば十分となり、無線基地局装置が増加するほど、ユーザ数が増加し、収入増を図ることができる。また、各種事業者およびユーザにとってメリットの大きい通信サービスを提供することが可能となる。したがって、複数の無線基地局装置を備える通信システムにおいて、より優れたサービスを提供することができる。
【００４０】
（１１）本発明の実施形態に係る無線アクセス提供方法は、無線端末装置と、複数の無線基地局装置とを備える通信システムにおける無線アクセス提供方法であって、前記無線端末装置が、ユーザの指示を受けると、通信相手として選択中の前記無線基地局装置から特定の無線基地局装置へ通信相手を切り替えるステップと、前記特定の無線基地局装置が、前記無線端末装置と移動通信事業者網における装置との間で送受信される前記無線端末装置を登録するための情報を中継するステップとを含み、前記特定の無線基地局装置は、前記切り替え動作を行なう前に前記無線端末装置が通信相手として選択していた前記無線基地局装置よりもセル半径が小さく、前記特定の無線基地局装置は、前記無線端末装置と他の装置との間で送受信される通信データを中継し、前記移動通信事業者網を経由して前記通信データを中継する第１の中継動作に加えて、または前記第１の中継動作の代わりに、他のネットワークを経由して前記通信データを中継する第２の中継動作を行なうことが可能である。
【００４１】
このような方法により、移動通信サービスの加入者数の劇的な増加およびデータ通信による通信トラヒック量の増大に対して、電波干渉の増大および電波利用効率の低下を抑制しながら、加入者および通信トラヒックを分散することができる。また、一定レベルの回線接続率および通信品質をユーザへ提供することができる。また、無線端末装置および無線基地局装置の間で高速通信が可能となることに伴う移動通信事業者網側の通信回線の逼迫を防ぎながら、既存のネットワークを活用することができるため、移動通信事業者網の設備増強等によるコスト増大を抑制することができる。すなわち、無線基地局装置を敷設する移動通信事業者は、無線端末装置および無線基地局装置間の通信提供費用を回収すれば十分となり、無線基地局装置が増加するほど、ユーザ数が増加し、収入増を図ることができる。また、各種事業者およびユーザにとってメリットの大きい通信サービスを提供することが可能となる。したがって、複数の無線基地局装置を備える通信システムにおいて、より優れたサービスを提供することができる。
【００４２】
（１２）本発明の実施形態に係る通信制御プログラムは、無線端末装置において用いられる通信制御プログラムであって、コンピュータに、通信相手として選択した無線基地局装置と無線通信を行なうステップと、ユーザの指示を受けると、通信相手として選択中の前記無線基地局装置から特定の無線基地局装置へ通信相手を切り替える切り替え動作を行なうステップとを実行させるためのプログラムであり、前記特定の無線基地局装置は、前記切り替え動作を行なう前に前記無線端末装置が通信相手として選択していた前記無線基地局装置よりもセル半径が小さく、前記特定の無線基地局装置は、前記無線端末装置と他の装置との間で送受信される通信データを中継し、移動通信事業者網を経由して前記通信データを中継する第１の中継動作に加えて、または前記第１の中継動作の代わりに、他のネットワークを経由して前記通信データを中継する第２の中継動作を行なうことが可能である。
【００４３】
このような構成により、移動通信サービスの加入者数の劇的な増加およびデータ通信による通信トラヒック量の増大に対して、電波干渉の増大および電波利用効率の低下を抑制しながら、加入者および通信トラヒックを分散することができる。また、一定レベルの回線接続率および通信品質をユーザへ提供することができる。また、無線端末装置および無線基地局装置の間で高速通信が可能となることに伴う移動通信事業者網側の通信回線の逼迫を防ぎながら、既存のネットワークを活用することができるため、移動通信事業者網の設備増強等によるコスト増大を抑制することができる。すなわち、無線基地局装置を敷設する移動通信事業者は、無線端末装置および無線基地局装置間の通信提供費用を回収すれば十分となり、無線基地局装置が増加するほど、ユーザ数が増加し、収入増を図ることができる。また、各種事業者およびユーザにとってメリットの大きい通信サービスを提供することが可能となる。したがって、複数の無線基地局装置を備える通信システムにおいて、より優れたサービスを提供することができる。
【００４４】
（１３）本発明の実施形態に係る通信制御プログラムは、第１の無線通信方式および第２の無線通信方式を用いて無線端末装置と無線通信を行なうことが可能な無線基地局装置において用いられる通信制御プログラムであって、コンピュータに、前記第２の無線通信方式を用いて、前記無線端末装置から受信した通信データをネットワークへ送信し、前記ネットワークから受信した前記無線端末装置宛の通信データを前記無線端末装置へ送信する通信データの中継を行なうステップと、前記無線端末装置の用いる無線通信方式を前記第１の無線通信方式へ変更する切り替え動作を促すための切り替え促進情報を前記無線端末装置のユーザに提示する制御を行なうステップとを実行させるためのプログラムであり、前記無線基地局装置は、前記ネットワークとして移動通信事業者網を経由して前記通信データを中継する第１の中継動作に加えて、または前記第１の中継動作の代わりに、他のネットワークを経由して前記通信データを中継する第２の中継動作を行なうことが可能である。
【００４５】
このような構成により、移動通信サービスの加入者数の劇的な増加およびデータ通信による通信トラヒック量の増大に対して、電波干渉の増大および電波利用効率の低下を抑制しながら、加入者および通信トラヒックを分散することができる。また、一定レベルの回線接続率および通信品質をユーザへ提供することができる。また、無線端末装置および無線基地局装置の間で高速通信が可能となることに伴う移動通信事業者網側の通信回線の逼迫を防ぎながら、既存のネットワークを活用することができるため、移動通信事業者網の設備増強等によるコスト増大を抑制することができる。すなわち、無線基地局装置を敷設する移動通信事業者は、無線端末装置および無線基地局装置間の通信提供費用を回収すれば十分となり、無線基地局装置が増加するほど、ユーザ数が増加し、収入増を図ることができる。また、各種事業者およびユーザにとってメリットの大きい通信サービスを提供することが可能となる。したがって、複数の無線基地局装置を備える通信システムにおいて、より優れたサービスを提供することができる。また、より広範な通信環境等の状況を認識可能な無線基地局装置において所定の無線通信方式を使用するように無線端末装置を誘導する構成により、より安定かつ良好な通信環境を実現し、より優れたサービスを提供することができる。
【００４６】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４７】
［構成および基本動作］
図１は、本発明の実施の形態に係る通信システムの構成を示す図である。
【００４８】
図１を参照して、通信システム３０１は、たとえば、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で規格化されたＬＴＥ（Ｌｏｎｇ  Ｔｅｒｍ  Ｅｖｏｌｕｔｉｏｎ）に従う移動体通信システム、およびＩＥＥＥ８０２．１１で規格化された無線ＬＡＮシステムを含み、小型基地局１０１と、アクセスポイント１２１と、マクロ基地局１３１と、１または複数の無線端末装置２０２とを備える。
【００４９】
マクロ基地局１３１は、移動通信事業者網５０２に接続されている。小型基地局１０１は、インターネット５０１および移動通信事業者網５０２に接続されている。アクセスポイント１２１は、インターネット５０１に接続されている。移動通信事業者網５０２は、インターネット５０１に接続されている。
【００５０】
以下、インターネット５０１および移動通信事業者網５０２の各々を単にネットワークとも称する。また、無線端末装置２０２からネットワークへの方向を上り方向と称し、ネットワークから無線端末装置２０２への方向を下り方向と称する。
【００５１】
マクロ基地局１３１は、セル４０１を形成し、ＬＴＥ方式を用いて、セル４０１内に存在する無線端末装置２０２と無線信号を送受信することにより、当該無線端末装置２０２と通信することが可能である。
【００５２】
小型基地局１０１およびアクセスポイント１２１は、店舗、一般家庭および企業等の小エリア４０２に設置される。
【００５３】
小型基地局１０１およびアクセスポイント１２１の形成するセルは、たとえば小エリア４０２と略一致する。小型基地局１０１およびアクセスポイント１２１の形成するセルの半径は、たとえば１０メートル前後である。
【００５４】
小型基地局１０１は、ＬＴＥ方式を用いて、小エリア４０２内に存在する無線端末装置２０２と無線信号を送受信することにより、当該無線端末装置２０２と通信することが可能である。
【００５５】
アクセスポイント１２１は、無線ＬＡＮ方式を用いて、小エリア４０２内に存在する無線端末装置２０２と無線信号を送受信することにより、当該無線端末装置２０２と通信することが可能である。
【００５６】
なお、図１では、１つの小型基地局１０１と、１つのアクセスポイント１２１と、１つのマクロ基地局１３１とを代表的に示しているが、通信システム３０１は、さらに多数の小型基地局１０１、アクセスポイント１２１またはマクロ基地局１３１を備える構成であってもよい。また、さらに多数の小エリア４０２がセル４０１において存在してもよい。また、小型基地局１０１およびアクセスポイント１２１のいずれか一方が設置された小エリア４０２が存在してもよい。
【００５７】
図２は、本発明の実施の形態に係る通信システムにおける通信データの中継経路を示す図である。
【００５８】
図２を参照して、無線端末装置２０２は、複数の通信方式のうちのいずれかを選択して通信を行なうことが可能である。
【００５９】
具体的には、無線端末装置２０２は、無線ＬＡＮ方式に従って無線通信を行なうことにより、アクセスポイント１２１と通信を行い、また、アクセスポイント１２１を介して他の装置と通信を行なうことが可能である。
【００６０】
また、無線端末装置２０２は、ＬＴＥ方式に従って無線通信を行なうことにより、マクロ基地局１３１および小型基地局１０１と通信を行い、また、マクロ基地局１３１および小型基地局１０１を介して他の装置と通信を行なうことが可能である。
【００６１】
アクセスポイント１２１は、インターネット５０１を経由して、自己と通信中の無線端末装置２０２と他の装置との間で送受信される通信データを中継する。
【００６２】
マクロ基地局１３１は、移動通信事業者網５０２を経由して、自己と通信中の無線端末装置２０２と他の装置との間で送受信される通信データを中継する。
【００６３】
通信システム３０１において、小型基地局１０１に対して近距離に位置する無線端末装置２０２では、通信環境が良好であるために小型基地局１０１との間で高速通信が可能となることから、バックボーン回線すなわち移動通信事業者網５０２側の通信回線が逼迫してしまう場合がある。
【００６４】
そこで、通信システム３０１では、小型基地局１０１を、移動通信事業者網５０２に接続する代わりに、アクセスポイント１２１と同様に、ＣＡＴＶ、ＦＴＴＨおよびｘＤＳＬ等の既存のネットワークであるインターネット５０１に接続可能とする。
【００６５】
すなわち、小型基地局１０１は、無線端末装置２０２と他の装置との間で送受信される通信データを中継し、移動通信事業者網５０２を経由して通信データを中継する専用網中継動作に加えて、他のネットワークたとえばインターネット５０１を経由して通信データを中継する一般網中継動作を行なうことが可能である。
【００６６】
これにより、既存のネットワークを活用することができるため、移動通信事業者網５０２の設備増強によるコスト増大を抑制することができる。すなわち、小型基地局１０１を敷設する移動通信事業者は、無線端末装置２０２および小型基地局１０１間の通信提供費用を回収すれば十分となり、小型基地局１０１が増加するほど、加入者数が増加し、収入増を図ることができる。
【００６７】
図３は、本発明の実施の形態に係る通信システムにおける無線端末装置の構成を示す図である。
【００６８】
図３を参照して、無線端末装置２０２は、無線通信部１１と、情報処理部１２と、制御部１３と、入出力部１４と、アンテナ１６とを備える。制御部１３は、表示制御部２１と、切り替え制御部２２とを含む。
【００６９】
無線通信部１１は、無線基地局装置と無線通信を行なう。より詳細には、無線通信部１１は、無線基地局装置からの無線信号をアンテナ１６経由で受けて、ＬＴＥ方式または無線ＬＡＮ方式に従い、当該無線信号に対して所定の信号処理を行なうことにより、当該無線信号から通信データたとえばＩＰパケットを再生して情報処理部１２へ出力する。
【００７０】
情報処理部１２は、無線通信部１１から受けた通信データを、たとえば音声データおよび映像データに変換し、必要に応じてアナログ信号に変換する。そして、情報処理部１２は、スピーカ、マイク、ディスプレイおよびキー入力装置等を含む入出力部１４へ出力する。
【００７１】
また、情報処理部１２および制御部１３は、たとえば、音声データ、およびキー入力装置において受け付けた操作に基づく制御信号等を入出力部１４から受ける。そして、情報処理部１２は、入出力部１４から受けた音声データおよび制御信号を含む通信データたとえばＩＰパケットを生成し、無線通信部１１へ出力する。
【００７２】
無線通信部１１は、ＬＴＥ方式または無線ＬＡＮ方式に従い、情報処理部１２から受けた通信データに対して所定の信号処理を行なうことにより、当該通信信号を含む無線信号を生成してアンテナ１６へ出力する。
【００７３】
切り替え制御部２２は、ユーザの指示を受けると、無線通信部１１を制御して、無線通信部１１が通信相手として選択中の無線基地局装置たとえばマクロ基地局１３１から特定の無線基地局装置たとえば小型基地局１０１へ無線通信部１１の通信相手を切り替える切り替え動作を行なう。すなわち、特定の無線基地局装置は、切り替え動作を行なう前に無線通信部１１が通信相手として選択していた無線基地局装置よりもセル半径が小さい。たとえば、切り替え制御部２２は、ユーザの指示として、入出力部１４から音声データまたは制御信号を受けることにより、ユーザの指示を認識する。
【００７４】
図４は、本発明の実施の形態に係る通信システムにおける小型基地局の構成を示す図である。
【００７５】
図４を参照して、小型基地局１０１は、ＬＴＥ通信部３１と、ＷｉＦｉ通信部３２と、ネットワーク通信部３３と、アンテナ３４，３５と、切り替え促進部３６とを備える。ネットワーク通信部３３は、移動通信ネットワーク送受信部４１と、ＩＰネットワーク送受信部４２と、プロトコル変換部４３とを含む。
【００７６】
ＬＴＥ通信部３１は、ＬＴＥ方式を用いて、無線端末装置２０２と無線通信を行なうことが可能である。
【００７７】
ＷｉＦｉ通信部３２は、無線ＬＡＮ方式を用いて、無線端末装置２０２と無線通信を行なうことが可能である。
【００７８】
ネットワーク通信部３３は、ＬＴＥ通信部３１またはＷｉＦｉ通信部３２が無線端末装置２０２から受信した通信データをネットワークへ送信し、ネットワークから受信した無線端末装置２０２宛の通信データをＬＴＥ通信部３１またはＷｉＦｉ通信部３２へ出力する通信データの中継を行なう。
【００７９】
ネットワーク通信部３３は、上記ネットワークとして移動通信事業者網５０２を経由して通信データを中継する専用網中継動作に加えて、インターネット５０１を経由して通信データを中継する一般網中継動作を行なう。たとえば、ネットワーク通信部３３は、一般網中継動作において、ＬＴＥ通信部３１が無線端末装置２０２から受信した通信データであるＩＰパケットをインターネット５０１へ送信する。
【００８０】
より詳細には、上り方向において、ＬＴＥ通信部３１は、無線端末装置２０２からの無線信号をアンテナ３４経由で受けて、ＬＴＥ方式に従い、当該無線信号に対して所定の信号処理を行なうことにより、当該無線信号から通信データたとえばＩＰパケットを再生して移動通信ネットワーク送受信部４１またはプロトコル変換部４３へ出力する。
【００８１】
移動通信ネットワーク送受信部４１は、ＬＴＥ通信部３１から受けた通信データを所定のフレームフォーマットのデータに変換して移動通信事業者網５０２へ送信する。
【００８２】
プロトコル変換部４３は、所定のプロトコル変換処理を行い、ＬＴＥ通信部３１から受けた通信データであるＩＰパケットをＩＰネットワーク送受信部４２へ出力する。
【００８３】
また、ＷｉＦｉ通信部３２は、無線端末装置２０２からの無線信号をアンテナ３５経由で受けて、無線ＬＡＮ方式に従い、当該無線信号に対して所定の信号処理を行なうことにより、当該無線信号から通信データたとえばＩＰパケットを再生してＩＰネットワーク送受信部４２へ出力する。
【００８４】
ＩＰネットワーク送受信部４２は、プロトコル変換部４３またはＷｉＦｉ通信部３２から受けたＩＰパケットをインターネット５０１へ送信する。
【００８５】
下り方向において、移動通信ネットワーク送受信部４１は、移動通信事業者網５０２から受けた所定のフレームフォーマットのデータから通信データたとえばＩＰパケットを抽出してＬＴＥ通信部３１へ出力する。
【００８６】
ＩＰネットワーク送受信部４２は、インターネット５０１から受けた通信データたとえばＩＰパケットをプロトコル変換部４３またはＷｉＦｉ通信部３２へ出力する。
【００８７】
プロトコル変換部４３は、所定のプロトコル変換処理を行い、ＩＰネットワーク送受信部４２から受けたＩＰパケットを通信データとしてＬＴＥ通信部３１へ出力する。
【００８８】
ＬＴＥ通信部３１は、ＬＴＥ方式に従い、移動通信ネットワーク送受信部４１またはプロトコル変換部４３から受けた通信データを無線信号に変換してアンテナ３４へ出力する。
【００８９】
ＷｉＦｉ通信部３２は、無線ＬＡＮ方式に従い、ＩＰネットワーク送受信部４２から受けた通信データであるＩＰパケットを無線信号に変換してアンテナ３５へ出力する。
【００９０】
切り替え促進部３６は、無線端末装置２０２がＷｉＦｉ通信部３２を通信相手として通信している状態において、無線端末装置２０２の通信相手をＬＴＥ通信部３１へ変更する切り替え動作を促すための切り替え促進情報を無線端末装置２０２のユーザに提示する制御を行なう。
【００９１】
なお、小型基地局１０１は、ＬＴＥ通信部３１およびＷｉＦｉ通信部３２の両方を備える構成に限らず、ＷｉＦｉ通信部３２を備えない構成であってもよい。
【００９２】
また、小型基地局１０１は、専用網中継動作の代わりに、一般網中継動作を行なう構成であってもよい。すなわち、小型基地局１０１は、移動通信事業者網５０２を経由する通信データの中継を行なう機能を有しない構成であってもよい。すなわち、小型基地局１０１は、移動通信ネットワーク送受信部４１を備えない構成であってもよい。
【００９３】
また、ＬＴＥ通信部３１およびＷｉＦｉ通信部３２は、いずれか一方が動作中は他方が停止する構成であってもよいし、両方が並行して動作する構成であってもよい。後者の場合、たとえば、ある無線端末装置２０２はＬＴＥ通信部３１を通信相手として無線通信を行い、他の無線端末装置２０２はＷｉＦｉ通信部３２を通信相手として無線通信を行なうことが可能である。
【００９４】
また、上り方向において、ＬＴＥ通信部３１が、無線端末装置２０２からの通信データを移動通信ネットワーク送受信部４１およびプロトコル変換部４３のいずれに出力するかを選択する構成であってもよいし、移動通信ネットワーク送受信部４１およびＩＰネットワーク送受信部４２が、ＬＴＥ通信部３１から受けた通信データをネットワークへ送信するか否かを判断する構成であってもよいし、あるいは、図示しない制御部が各ユニットを制御することにより、このような通信データの経路選択が行われる構成であってもよい。
【００９５】
また、下り方向において、ＩＰネットワーク送受信部４２が、インターネット５０１からの通信データをプロトコル変換部４３およびＷｉＦｉ通信部３２のいずれに出力するかを選択する構成であってもよいし、ＬＴＥ通信部３１およびＷｉＦｉ通信部３２が、ＩＰネットワーク送受信部４２からの通信データを無線端末装置２０２へ送信するか否かを判断する構成であってもよいし、あるいは、図示しない制御部が各ユニットを制御することにより、このような通信データの経路選択が行われる構成であってもよい。
【００９６】
また、小型基地局１０１は、ＬＴＥ通信部３１を備える構成に限らず、無線端末装置２０２が無線基地局装置と通信中に通信相手の無線基地局装置を変更可能な通信方式を用いて、無線端末装置２０２と無線通信を行なう無線通信部を備える構成であってもよい。また、小型基地局１０１は、ＷｉＦｉ通信部３２を備える構成に限らず、無線端末装置２０２が無線基地局装置と通信中に通信相手の無線基地局装置を変更できない通信方式を用いて、無線端末装置２０２と無線通信を行なう無線通信部を備える構成であってもよい。
【００９７】
［動作］
次に、本発明の実施の形態に係る通信システムによる無線アクセス提供処理について図面を用いて説明する。
【００９８】
通信システム３０１における各装置は、コンピュータを備え、当該コンピュータにおけるＣＰＵ等の演算処理部は、以下のフローチャートおよびシーケンスの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００９９】
図５は、本発明の実施の形態に係る通信システムにおける無線アクセス提供処理のシーケンスの一例を示す図である。
【０１００】
無線端末装置２０２には、１または複数のアプリケーションがインストールされている。無線端末装置２０２において、切り替え制御部２２は、切り替え動作を行なうための所定のアプリケーションすなわち接続用アプリケーションが起動されると切り替え動作を開始する。
【０１０１】
また、切り替え制御部２２は、接続用アプリケーションが終了されると、無線通信部１１が通信相手として選択中の小型基地局１０１から他の無線基地局装置へ無線通信部１１の通信相手を切り替える切り戻し動作を行なう。
【０１０２】
なお、接続用アプリケーションは、たとえば、小型基地局１０１を敷設する移動通信事業者のＷｅｂサイトすなわち移動通信事業者網５０２におけるサーバ等からダウンロードすることが可能である。
【０１０３】
具体的には、図５を参照して、まず、無線端末装置２０２がマクロ基地局１３１を通信相手として選択している状態である。なお、無線端末装置２０２は、Ｗｅｂブラウジングおよび通話等の通信を行なっている状態であってもよいし、通信を行なっていない状態であってもよい（ステップＳ１）。
【０１０４】
次に、無線端末装置２０２は、ユーザの指示を受けると、具体的には、たとえば、接続用アプリケーションが起動されると（ステップＳ２）、通信相手として選択中のマクロ基地局１３１から、通信システム３０１における各無線基地局装置のうち、特定の無線基地局装置すなわち自己の周辺の小型基地局１０１へ通信相手を切り替える切り替え動作を開始する。具体的には、無線端末装置２０２は、たとえば、小型基地局１０１が使用する周波数の電波を受信することにより、小型基地局１０１を探索する。あるいは、無線端末装置２０２は、たとえば、小型基地局１０１に割り当てられている識別情報を用いて、小型基地局１０１を探索する。このように、無線端末装置２０２は、ユーザの指示を受けると、主体的に、小型基地局を探索し、新たな通信相手として選択する（ステップＳ３）。
【０１０５】
次に、無線端末装置２０２は、小型基地局１０１を経由して移動通信事業者網５０２における装置との間で種々の情報を送受信することにより、位置登録等の登録処理を行なう（ステップＳ４）。
【０１０６】
次に、無線端末装置２０２は、小型基地局１０１経由での各種通信を開始する。より詳細には、無線端末装置２０２は、小型基地局１０１を介した他の装置との通信データの送受信を開始する（ステップＳ５）。
【０１０７】
次に、無線端末装置２０２が小型基地局１０１を通信相手として選択している状態において（ステップＳ６）、無線端末装置２０２は、起動済みの接続用アプリケーションが終了されると（ステップＳ７）、切り戻し情報を小型基地局１０１へ送信する（ステップＳ８）。
【０１０８】
次に、小型基地局１０１は、無線端末装置２０２から切り戻し情報を受信して、切り戻し応答情報を無線端末装置２０２へ送信する（ステップＳ９）。
【０１０９】
次に、無線端末装置２０２は、小型基地局１０１から切り戻し応答情報を受信して、通信相手として選択中の小型基地局１０１からマクロ基地局１３１へ通信相手を切り替え、位置登録等の登録処理を行なう。なお、無線端末装置２０２は、切り替え元のマクロ基地局１３１に限らず、小型基地局１０１以外の他の無線基地局装置を切り戻し先としてもよい（ステップＳ１０）。
【０１１０】
図６は、本発明の実施の形態に係る無線端末装置のアイコン表示画面の一例を示す図である。
【０１１１】
図６を参照して、無線端末装置２０２における表示制御部２１は、無線端末装置２０２の画面に接続用アプリケーションのアイコン９１を表示する制御を行なう。
【０１１２】
切り替え制御部２２は、アイコン９１に対してユーザが操作を行なうと、切り替え動作を開始する。
【０１１３】
具体的には、ユーザがアイコン９１を操作すると、接続用アプリケーションが起動され、切り替え動作が行われて無線端末装置２０２の通信接続先がたとえばマクロ基地局１３１から小型基地局１０１に変更され、小型基地局１０１を用いた通信サービス（以下、ＳＣ（スモールセル）サービスとも称する）がユーザに提供される。これは、無線端末装置２０２のユーザにとっては、利用する通信キャリアを変更することに相当する。
【０１１４】
小型基地局１０１がインターネット５０１を経由する中継動作を行なう場合には、たとえば、無線端末装置２０２は、ＬＴＥ方式を用いた音声通話サービスを利用することができないが、ＬＴＥ方式に従う無線通信を行いながら、ＩＰパケットを用いた無料通話サービス等を使用し、音声通話を行なうことが可能である。無線端末装置２０２のユーザは、このような無料通話サービスを用いて、一般の固定電話および携帯電話のユーザと有料ではあるが通話することも可能である。
【０１１５】
そして、ユーザが接続用アプリケーションを終了すると、切り戻し動作が行われて無線端末装置２０２の接続先がマクロ基地局１３１に変更される。これにより、ユーザは、通常の移動通信サービスの利用を再開することができる。たとえば、ユーザは、無線端末装置２０２の着信履歴のメール通知および留守番電話サービス等により、ＳＣサービス利用中に電話をかけてきた他者を認識することができる。
【０１１６】
アイコン９１は、たとえば、切り替え動作専用のアイコンである。すなわち、アイコン９１に対してユーザが操作を行なうと、接続用アプリケーションが単独で起動される。
【０１１７】
なお、無線端末装置２０２において、接続用アプリケーション連動のアイコンが、アプリケーションごとに表示されてもよい。すなわち、アイコン９１に対してユーザが操作を行なうと、接続用アプリケーションおよび他のアプリケーションが起動される。
【０１１８】
このようなアイコンを用いる場合、無線端末装置２０２では、たとえば、通常のアプリケーションのアイコンが表示される画面と、接続用アプリケーション連動のアイコンがまとめて表示される画面とが別に設けられる。また、複数のアプリケーションを一覧表示して起動を選択できるランチャーを使用してもよい。
【０１１９】
なお、無線端末装置２０２は、接続用アプリケーションのアイコンに対してユーザが操作を行なうと切り替え動作を開始する構成に限らず、たとえば、ユーザの音声によって接続用アプリケーションの起動が可能な構成であってもよい。
【０１２０】
図７は、本発明の実施の形態に係る無線端末装置の設定画面の一例を示す図である。
【０１２１】
図７を参照して、ユーザが、アイコン９１に対して操作を行なうことで小型基地局１０１への通信相手の切り替えを無線端末装置２０２に指示する方法に限定されるものではない。また、ユーザが、接続用アプリケーションを用いて無線端末装置２０２に切り替え動作を指示する構成に限定されるものではない。
【０１２２】
たとえば、点線の円で示すように、設定画面において直接キャリア選択を「ＳｍａｌｌＣｅｌｌ」に変更することにより、ユーザは、上記切り替えを無線端末装置２０２に指示することが可能である。
【０１２３】
図８は、本発明の実施の形態に係る通信システムにおける小型基地局が無線アクセスを提供する際の動作手順を定めたフローチャートである。
【０１２４】
図８を参照して、まず、小型基地局１０１における切り替え促進部３６は、ＷｉＦｉ通信部３２を通信相手として通信している無線端末装置２０２が存在するか否かを確認する（ステップＳ２１）。
【０１２５】
次に、切り替え促進部３６は、ＷｉＦｉ通信部３２を通信相手として通信している無線端末装置２０２が存在する場合であって（ステップＳ２１でＹＥＳ）、所定条件を満たすとき（ステップＳ２２でＹＥＳ）、切り替え促進情報を無線端末装置２０２の画面に表示させる。具体的には、たとえば、切り替え促進部３６は、切り替え促進情報として、接続用アプリケーションのダウンロード元の情報、および接続用アプリケーションの起動を促す情報の少なくともいずれか一方を提示する制御を行なう（ステップＳ２３）。
【０１２６】
ここで、上記所定条件は、たとえば、無線端末装置２０２および小型基地局１０１間の通信継続時間が所定の閾値以上となった場合、または無線端末装置２０２による通信トラヒック量が所定の閾値より大きくなった場合である。
【０１２７】
なお、切り替え促進部３６は、上記のような提示内容を示す切り替え促進情報を無線端末装置へ送信する構成であってもよいし、無線端末装置２０２が切り替え促進情報を記憶している場合、当該切り替え促進情報を提示する指示を示す情報を無線端末装置２０２へ送信する構成であってもよい。
【０１２８】
また、切り替え促進部３６は、切り替え促進情報を無線端末装置２０２の画面に表示させる構成に限らず、たとえば、切り替え促進情報を自己の小型基地局１０１の画面に表示することにより、切り替え促進情報をユーザに提示する構成であってもよい。
【０１２９】
また、切り替え促進部３６は、無線ＬＡＮ方式からＬＴＥ方式への切り替えを無線端末装置２０２に促す構成に限らず、種々の状況に応じて、ＬＴＥ方式から無線ＬＡＮ方式への切り替えを無線端末装置２０２に促す構成であってもよい。
【０１３０】
また、切り替え促進部３６は、切り替え促進情報として画面表示を行なう構成に限らず、無線端末装置２０２のスピーカから音声を出力する構成であってもよい。
【０１３１】
以下、ＳＣサービスについて、そのメリットを中心に説明する。
【０１３２】
［ユーザのメリット］
携帯電話の通信方式を用いることにより、無線ＬＡＮ方式と比べて、無線端末装置２０２の小型基地局１０１への通信接続を、必要に応じて通信品質を落とす等の方法で、より確実に確立させることができる。
【０１３３】
また、無線端末装置２０２および小型基地局１０１間が近距離である場合、無線ＬＡＮ方式と比べて、通信速度を高速にすることができる。
【０１３４】
無線端末装置２０２において、通話およびデータ通信前に、通信を開始するためのクリックボタン等が表示された最初の画面で広告を表示する。これにより、無線端末装置２０２において、接続用アプリケーションを起動した場合に、１度は広告が表示される。広告としては、たとえば、無線端末装置２０２の存在する小エリア４０２における店舗等の広告が考えられる。このような広告の収入により、小型基地局１０１を用いたユーザの通信料金を無料または低額とすることができる。
【０１３５】
小型基地局１０１は、たとえば、自己の設置場所の情報を使用して、設置場所付近のローカルな広告を、無線端末装置２０２の画面に表示させることができる。また、小型基地局１０１は、設置場所および時間帯等により、広告の内容を変化させることができる。
【０１３６】
ここで、テレビでは、一斉に同じ広告が視聴者に提示され、インターネットでは、検索連動型広告を出すことができる。
【０１３７】
これに対して、小型基地局１０１は、設置場所連動でありかつ時間連動の広告を出すことができる。たとえば、モーニングセット、ランチメニューおよびディナーコースを小型基地局１０１の設置場所および時間帯に応じて表示することができる。また、小型基地局１０１は、無線端末装置２０２のユーザの別に応じて、広告内容を変更することも可能である。
【０１３８】
［移動通信事業者のメリット］
ＳＣサービスを提供するＳＣベンダから、一定額／月たとえば３００円／月の費用を回収することができる。たとえば、東京２３区で１０万台のアクセスポイントが設置される場合、１０万台×３００円／月＝３０００万円／月の収入となる。
【０１３９】
［店舗オーナのメリット］
顧客の所有する無線端末装置２０２のネットワークへのつながりやすさが向上し、また、通信回線の容量の増大により、ストリーム映像等を良好に視聴することができ、顧客の使用感が向上し、顧客満足度を向上することができる。
【０１４０】
店舗オーナは、たとえば、ＳＣベンダに対して３００円／月を広告料として支払う。たとえば、契約期間は２年間とし、契約期間終了後は、広告を継続するかどうかを選択可能とする。
【０１４１】
［ＳＣベンダのメリット］
たとえば、上記のように小型基地局１０１に広告の機能を内蔵し、広告塔として利用することができる。
【０１４２】
ところで、複数の無線基地局装置を備える通信システムにおいて、より優れたサービスを提供することが望まれる。
【０１４３】
これに対して、本発明の実施の形態に係る無線端末装置では、切り替え制御部２２は、ユーザの指示を受けると、無線通信部１１を制御して、無線通信部１１が通信相手として選択中の無線基地局装置たとえばマクロ基地局１３１から特定の無線基地局装置たとえば小型基地局１０１へ無線通信部１１の通信相手を切り替える切り替え動作を行なう。ここで、特定の無線基地局装置は、切り替え動作を行なう前に無線通信部１１が通信相手として選択していた無線基地局装置よりもセル半径が小さい。また、特定の無線基地局装置は、無線端末装置２０２と他の装置との間で送受信される通信データを中継し、移動通信事業者網５０２を経由して通信データを中継する専用網中継動作に加えて、または専用網中継動作の代わりに、他のネットワークたとえばインターネット５０１を経由して通信データを中継する一般網中継動作を行なうことが可能である。
【０１４４】
また、本発明の実施の形態に係る無線端末装置において用いられる通信制御プログラムは、無線端末装置２０２が、通信相手として選択した無線基地局装置と無線通信を行なうステップと、ユーザの指示を受けると、通信相手として選択中の無線基地局装置から特定の無線基地局装置たとえば小型基地局１０１へ通信相手を切り替える切り替え動作を行なうステップとをコンピュータに実行させるためのプログラムである。
【０１４５】
このような構成により、移動通信サービスの加入者数の劇的な増加およびデータ通信による通信トラヒック量の増大に対して、電波干渉の増大および電波利用効率の低下を抑制しながら、加入者および通信トラヒックを分散することができる。また、一定レベルの回線接続率および通信品質をユーザへ提供することができる。
【０１４６】
また、無線端末装置２０２および小型基地局１０１の間で高速通信が可能となることに伴う移動通信事業者網５０２側の通信回線の逼迫を防ぎながら、既存のネットワークを活用することができるため、移動通信事業者網５０２の設備増強等によるコスト増大を抑制することができる。すなわち、小型基地局１０１を敷設する移動通信事業者は、無線端末装置２０２および小型基地局１０１間の通信提供費用を回収すれば十分となり、小型基地局１０１が増加するほど、ユーザ数が増加し、収入増を図ることができる。また、前述のように、ユーザ、移動通信事業者、店舗オーナおよびＳＣベンダにとってメリットの大きい通信サービスを提供することが可能となる。
【０１４７】
したがって、本発明の実施の形態に係る無線端末装置および通信制御プログラムでは、複数の無線基地局装置を備える通信システムにおいて、より優れたサービスを提供することができる。
【０１４８】
また、本発明の実施の形態に係る無線端末装置では、１または複数のアプリケーションがインストールされている。そして、切り替え制御部２２は、切り替え動作を行なうための所定のアプリケーションすなわち接続用アプリケーションが起動されると切り替え動作を開始する。
【０１４９】
このような構成により、専用のアプリケーションを用いて、無線端末装置２０２の切り替え動作を簡易な構成および簡易な処理で実行することができる。
【０１５０】
また、本発明の実施の形態に係る無線端末装置では、表示制御部２１は、無線端末装置２０２の画面にアイコン９１を表示する制御を行なう。そして、切り替え制御部２２は、アイコン９１に対してユーザが操作を行なうと、切り替え動作を開始する。
【０１５１】
このような構成により、ユーザは、複雑な設定操作を行なうことなく、画面のアイコンを操作するだけで、無線端末装置２０２に対して容易に切り替え動作を指示することができる。
【０１５２】
また、本発明の実施の形態に係る無線端末装置では、アイコン９１に対してユーザが操作を行なうと、接続用アプリケーションが単独で起動される。
【０１５３】
このような構成により、無線端末装置２０２の画面において、切り替え動作を行なうためのアイコンの数が１つでよくなり、画面表示がシンプルになり、ユーザの使用感を向上させることができる。
【０１５４】
また、本発明の実施の形態に係る無線端末装置では、アイコン９１に対してユーザが操作を行なうと、接続用アプリケーションおよび他のアプリケーションが起動される。
【０１５５】
このような構成により、切り替え動作を行なうためだけのアイコンを用いる構成と比べて、接続用アプリケーションの終了すなわち切り戻し動作の実行をユーザが忘れることを防ぐことができる。
【０１５６】
また、本発明の実施の形態に係る無線端末装置では、切り替え制御部２２は、接続用アプリケーションが終了されると、無線通信部１１が通信相手として選択中の小型基地局１０１から他の無線基地局装置へ無線通信部１１の通信相手を切り替える切り戻し動作を行なう。
【０１５７】
このような構成により、専用のアプリケーションを終了させることで、無線端末装置２０２の切り戻し動作を簡易な構成および簡易な処理で実行することができる。
【０１５８】
また、本発明の実施の形態に係る無線基地局装置では、ＬＴＥ通信部３１は、ＬＴＥ方式を用いて、無線端末装置２０２と無線通信を行なうことが可能である。ＷｉＦｉ通信部３２は、無線ＬＡＮ方式を用いて、無線端末装置２０２と無線通信を行なうことが可能である。ネットワーク通信部３３は、ＬＴＥ通信部３１またはＷｉＦｉ通信部３２が無線端末装置２０２から受信した通信データをネットワークへ送信し、ネットワークから受信した無線端末装置２０２宛の通信データをＬＴＥ通信部３１またはＷｉＦｉ通信部３２へ出力する通信データの中継を行なう。ネットワーク通信部３３は、上記ネットワークとして移動通信事業者網５０２を経由して通信データを中継する専用網中継動作に加えて、または専用網中継動作の代わりに、他のネットワークたとえばインターネット５０１を経由して通信データを中継する一般網中継動作を行なう。そして、切り替え促進部３６は、無線端末装置２０２がＷｉＦｉ通信部３２を通信相手として通信している状態において、無線端末装置２０２の通信相手をＬＴＥ通信部３１へ変更する切り替え動作を促すための切り替え促進情報を無線端末装置２０２のユーザに提示する制御を行なう。
【０１５９】
また、本発明の実施の形態に係る無線基地局装置において用いられる通信制御プログラムは、小型基地局１０１が、無線ＬＡＮ方式を用いて、無線端末装置２０２から受信した通信データをネットワークへ送信し、ネットワークから受信した当該無線端末装置２０２宛の通信データを当該無線端末装置２０２へ送信する通信データの中継を行なうステップと、小型基地局１０１が、当該無線端末装置２０２の用いる無線通信方式をＬＴＥ方式へ変更する切り替え動作を促すための切り替え促進情報を当該無線端末装置２０２のユーザに提示する制御を行なうステップとをコンピュータに実行させるためのプログラムである。
【０１６０】
このような構成により、移動通信サービスの加入者数の劇的な増加およびデータ通信による通信トラヒック量の増大に対して、電波干渉の増大および電波利用効率の低下を抑制しながら、加入者および通信トラヒックを分散することができる。また、一定レベルの回線接続率および通信品質をユーザへ提供することができる。
【０１６１】
また、無線端末装置２０２および小型基地局１０１の間で高速通信が可能となることに伴う移動通信事業者網５０２側の通信回線の逼迫を防ぎながら、既存のネットワークを活用することができるため、移動通信事業者網５０２の設備増強等によるコスト増大を抑制することができる。すなわち、小型基地局１０１を敷設する移動通信事業者は、無線端末装置２０２および小型基地局１０１間の通信提供費用を回収すれば十分となり、小型基地局１０１が増加するほど、ユーザ数が増加し、収入増を図ることができる。また、前述のように、ユーザ、移動通信事業者、店舗オーナおよびＳＣベンダにとってメリットの大きい通信サービスを提供することが可能となる。
【０１６２】
したがって、本発明の実施の形態に係る無線基地局装置および通信制御プログラムでは、複数の無線基地局装置を備える通信システムにおいて、より優れたサービスを提供することができる。
【０１６３】
また、より広範な通信環境等の状況を認識可能な小型基地局１０１において所定の無線通信方式を使用するように無線端末装置２０２を誘導する構成により、より安定かつ良好な通信環境を実現し、より優れたサービスを提供することができる。
【０１６４】
また、本発明の実施の形態に係る無線基地局装置では、切り替え促進部３６は、切り替え促進情報として、接続用アプリケーションのダウンロード元の情報、および接続用アプリケーションの起動を促す情報の少なくともいずれか一方を提示する制御を行なう。
【０１６５】
このような構成により、専用のアプリケーションのダウンロードおよび起動を無線端末装置２０２のユーザに対して効果的に促すことができる。
【０１６６】
また、本発明の実施の形態に係る無線基地局装置は、携帯電話の通信方式たとえばＬＴＥ方式を用いて、無線端末装置２０２と無線通信を行なうことが可能な無線通信部すなわちＬＴＥ通信部３１を備える。そして、ネットワーク通信部３３は、ＬＴＥ通信部３１が無線端末装置２０２から受信した通信データであるＩＰパケットをネットワークへ送信する。
【０１６７】
このような構成により、無線端末装置２０２および小型基地局１０１の間で高速通信が可能となることに伴って逼迫する可能性の高い移動通信事業者網５０２の負荷を、より通信容量の大きい既存のＩＰネットワークへ分散させることができる。
【０１６８】
また、本発明の実施の形態に係る通信システムおよび無線アクセス提供方法では、無線端末装置２０２が、ユーザの指示を受けると、通信相手として選択中の無線基地局装置たとえばマクロ基地局１３１から特定の無線基地局装置たとえば小型基地局１０１へ通信相手を切り替える。次に、小型基地局１０１が、無線端末装置２０２と移動通信事業者網５０２における装置との間で送受信される当該無線端末装置２０２を登録するための情報を中継する。
【０１６９】
このような方法により、移動通信サービスの加入者数の劇的な増加およびデータ通信による通信トラヒック量の増大に対して、電波干渉の増大および電波利用効率の低下を抑制しながら、加入者および通信トラヒックを分散することができる。また、一定レベルの回線接続率および通信品質をユーザへ提供することができる。
【０１７０】
また、無線端末装置２０２および小型基地局１０１の間で高速通信が可能となることに伴う移動通信事業者網５０２側の通信回線の逼迫を防ぎながら、既存のネットワークを活用することができるため、移動通信事業者網５０２の設備増強等によるコスト増大を抑制することができる。すなわち、小型基地局１０１を敷設する移動通信事業者は、無線端末装置２０２および小型基地局１０１間の通信提供費用を回収すれば十分となり、小型基地局１０１が増加するほど、ユーザ数が増加し、収入増を図ることができる。また、前述のように、ユーザ、移動通信事業者、店舗オーナおよびＳＣベンダにとってメリットの大きい通信サービスを提供することが可能となる。
【０１７１】
したがって、本発明の実施の形態に係る通信システムおよび無線アクセス提供方法では、複数の無線基地局装置を備える通信システムにおいて、より優れたサービスを提供することができる。
【０１７２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１７３】
以上の説明は、以下に付記する特徴を含む。
【０１７４】
［付記１］
無線基地局装置と無線通信を行なう無線通信部と、
ユーザの指示を受けると、前記無線通信部を制御して、前記無線通信部が通信相手として選択中の無線基地局装置から特定の無線基地局装置へ前記無線通信部の通信相手を切り替える切り替え動作を行なう切り替え制御部とを備え、
前記特定の無線基地局装置は、前記切り替え動作を行なう前に前記無線通信部が通信相手として選択していた前記無線基地局装置よりもセル半径が小さく、
前記特定の無線基地局装置は、無線端末装置と他の装置との間で送受信される通信データを中継し、移動通信事業者網を経由して前記通信データを中継する第１の中継動作に加えて、または前記第１の中継動作の代わりに、他のネットワークを経由して前記通信データを中継する第２の中継動作を行なうことが可能であり、
前記無線通信部は、ＬＴＥ方式および無線ＬＡＮ方式を用いて前記無線基地局装置と無線通信を行なうことが可能であり、
前記他のネットワークはインターネットであり、
前記通信データはＩＰパケットである、無線端末装置。
【０１７５】
［付記２］
第１の無線通信方式を用いて、無線端末装置と無線通信を行なうことが可能な第１無線通信部と、
第２の無線通信方式を用いて、前記無線端末装置と無線通信を行なうことが可能な第２無線通信部と、
前記第１無線通信部または前記第２無線通信部が前記無線端末装置から受信した通信データをネットワークへ送信し、前記ネットワークから受信した前記無線端末装置宛の通信データを前記第１無線通信部または前記第２無線通信部へ出力する通信データの中継を行い、前記ネットワークとして移動通信事業者網を経由して前記通信データを中継する第１の中継動作に加えて、または前記第１の中継動作の代わりに、他のネットワークを経由して前記通信データを中継する第２の中継動作を行なうことが可能なネットワーク通信部と、
前記無線端末装置が前記第２無線通信部を通信相手として通信している状態において、前記無線端末装置の通信相手を前記第１無線通信部へ変更する切り替え動作を促すための切り替え促進情報を前記無線端末装置のユーザに提示する制御を行なう切り替え促進部とを備え、
前記第１の無線通信方式はＬＴＥ方式であり、
前記第２の無線通信方式は無線ＬＡＮ方式であり、
前記他のネットワークはインターネットであり、
前記通信データはＩＰパケットである、無線基地局装置。
【符号の説明】
【０１７６】
１１  無線通信部
１２  情報処理部
１３  制御部
１４  入出力部
１６  アンテナ
２１  表示制御部
２２  切り替え制御部
３１  ＬＴＥ通信部
３２  ＷｉＦｉ通信部
３３  ネットワーク通信部
３４，３５  アンテナ
３６  切り替え促進部
４１  移動通信ネットワーク送受信部
４２  ＩＰネットワーク送受信部
４３  プロトコル変換部
９１  アイコン
１０１  小型基地局
１２１  アクセスポイント
１３１  マクロ基地局
２０２  無線端末装置
３０１  通信システム
５０１  インターネット
５０２  移動通信事業者網
【図１】
2015032986.tif 000003
【図２】
2015032986.tif 000004
【図３】
2015032986.tif 000005
【図４】
2015032986.tif 000006
【図５】
2015032986.tif 000007
【図６】
2015032986.tif 000008
【図７】
2015032986.tif 000009
【図８】
2015032986.tif 000010